(57)【要約】  衝突体がフードに衝突する場合における二次衝突前の衝撃吸収性能を向上させることができる車両用フード構造を得る。  波状部（２０）のビード（２２）における前端部（２２Ｂ）がフード平面視で揃えられている。また、波状部（２０）よりもフード前方側に設けられた前壁部（２８）がフード前方へ向けてフード下方側に傾斜して略フード幅方向に沿って形成されると共に、波状部（２０）と前壁部（２８）とは、略フード幅方向に沿って形成された棚部（２６）によって繋がれている。
2012004881.tif 000002
【特許請求の範囲】
【請求項１】
フードの外板を構成するフードアウタパネルと、
前記フードアウタパネルに対してフード下方側に配置されると共に前記フードアウタパネルに結合され、フードの内板を構成するフードインナパネルと、
を有し、前記フードインナパネルは、
前記フードインナパネルにおける中央領域に設けられ、フード前後方向を長手方向として前記フードアウタパネル側に凸形状とされた凸部と、フード前後方向を長手方向として前記フードアウタパネル側に凹形状とされた凹部と、が交互に設けられて波形形状に形成されかつ前記凸部におけるフード前後方向の前端部がフード平面視で揃えられた波状部と、
前記フードインナパネルにおいて前記波状部よりもフード前方側に設けられ、フード前方へ向けてフード下方側に傾斜すると共に略フード幅方向に沿って形成された前壁部と、
前記フードインナパネルにおいて前記波状部と前記前壁部とを繋いで略フード幅方向に沿って形成された棚部と、
を備えている車両用フード構造。
【請求項２】
前記棚部と前記前壁部との接続部位である稜線がフード平面視でフード幅方向に沿って直線状に形成されている請求項１記載の車両用フード構造。
【発明の詳細な説明】
【技術分野】
【０００１】
本発明は、自動車等の車両に適用される車両用フード構造に関する。
【背景技術】
【０００２】
車両用フード構造においては、フードアウタパネルにフードインナパネルが結合された構造が知られている。このような構造においてフードインナパネルには、歩行者保護の観点から、車体前後方向を長手方向として並列された複数のビードが波型に形成されている場合がある（例えば、特許文献１参照）。この構造では、衝突体がフードに衝突（以下、適宜、「一次衝突」という。）した場合、フードインナパネルがその下方側の剛体物に衝突（以下、適宜「二次衝突」という。）する前に衝突体に作用する荷重は、フードパネルの慣性荷重による割合が高い。
【特許文献１】特開２００３−２０５８６６公報
【発明の開示】
【発明が解決しようとする課題】
【０００３】
しかしながら、そのような構造では、二次衝突前に衝突体に作用する荷重がフードパネルの重量によって大きく左右されることになるので、二次衝突前の衝撃吸収性能を向上させるという点で改善の余地がある。【０００４】
本発明は、上記事実を考慮して、衝突体がフードに衝突する場合における二次衝突前の衝撃吸収性能を向上させることができる車両用フード構造を得ることが目的である。
【課題を解決するための手段】
【０００５】
本発明の第１の態様に係る車両用フード構造は、フードの外板を構成するフードアウタパネルと、前記フードアウタパネルに対してフード下方側に配置されると共に前記フードアウタパネルに結合され、フードの内板を構成するフードインナパネルと、を有し、前記フードインナパネルは、前記フードインナパネルにおける中央領域に設けられ、フード前後方向を長手方向として前記フードアウタパネル側に凸形状とされた凸部と、フード前後方向を長手方向として前記フードアウタパネル側に凹形状とされた凹部と、が交互に設けられて波形形状に形成されかつ前記凸部におけるフード前後方向の前端部がフード平面視で揃えられた波状部と、前記フードインナパネルにおいて前記波状部よりもフード前方側に設けられ、フード前方へ向けてフード下方側に傾斜すると共に略フード幅方向に沿って形成された前壁部と、前記フードインナパネルにおいて前記波状部と前記前壁部とを繋いで略フード幅方向に沿って形成された棚部と、を備えている。【０００６】
本発明の第１の態様に係る車両用フード構造によれば、フードアウタパネルに対してフード下方側に配置されたフードインナパネルがフードアウタパネルに結合され、フードインナパネルは、その中央領域に波状部が形成されている。この波状部は、それぞれフード前後方向を長手方向とした凸部と凹部とが交互に設けられて波形形状に形成されているので、衝突荷重に対する剛性が比較的高い。【０００７】
ここで、波状部の凸部における前端部がフード平面視で揃えられ、波状部よりもフード前方側に設けられた前壁部がフード前方へ向けてフード下方側に傾斜して略フード幅方向に沿って形成されており、波状部と前壁部とは、略フード幅方向に沿って形成された棚部によって繋がれている。このため、衝突体がフードに衝突して波状部に荷重が入力された場合、波状部よりも剛性が低い棚部でフード下方側へ曲げ変形が生じ、これに伴って前壁部がフード前方斜め上方側に膨らむように変形する。これに対して、フードアウタパネルは衝突荷重によってフード下方側へ変位するので、フードアウタパネルは、前壁部の後端部側に（直接的又は間接的に）当り、その後、前壁部との当接位置を徐々にフード前方側へ変えていく。これによって、前壁部はその後端部側で曲げ変形してから塑性変形部位が順次連続的にフード前方側へ移動していくような変形（しごき変形）をする。このとき塑性変形に要するエネルギーが吸収されるので、二次衝突前の衝撃吸収性能が向上する。【０００８】
本発明の第２の態様は、第１の態様に係る車両用フード構造において、前記棚部と前記前壁部との接続部位である稜線がフード平面視でフード幅方向に沿って直線状に形成されている。【０００９】
本発明の第２の態様に係る車両用フード構造によれば、棚部と前壁部との接続部位である稜線がフード平面視でフード幅方向に沿って直線状に形成されているので、衝突体がフードに衝突した場合には、前壁部の塑性変形部位がフード幅方向に沿った直線状の折り曲げ部となってフード前方側へ安定的に移動していく。すなわち、前壁部が安定した変形モードで変形する。
【発明の効果】
【００１０】
以上説明したように、本発明の第１の態様に係る車両用フード構造によれば、衝突体がフードに衝突する場合における二次衝突前の衝撃吸収性能を向上させることができるという優れた効果を有する。【００１１】
本発明の第２の態様に係る車両用フード構造によれば、衝突体がフードに衝突する場合における二次衝突前の衝撃吸収性能の精度を高めることができるという優れた効果を有する。
【図面の簡単な説明】
【００１２】
【図１】本発明の第１の実施形態に係る車両用フード構造が適用されたフードを示す平面図である（フードアウタパネル等を透視した状態で示す。）。
【図２】図１の２−２線に沿って切断した状態で示す拡大断面図である。
【図３】頭部インパクタがフードに衝突した状態を図２と同じ切断面で示す側断面図である。
【図４】頭部インパクタがフードに衝突してフードインナパネルの前壁部がしごき変形している状態を示す側断面図である。
【図５】本発明の第１の実施形態に係る車両用フード構造が適用されたフード及び対比構造に係るフードに日本国の自動車アセスメントにおける試験の子供条件で頭部インパクタを衝突させた場合の合成Ｇと時間との関係を示すグラフである。
【図６】本発明の第１の実施形態に係る車両用フード構造が適用されたフード及び対比構造に係るフードに日本国の自動車アセスメントにおける試験の子供条件で頭部インパクタを衝突させた場合の前後Ｇとストロークとの関係を示すグラフである。
【図７】本発明の第１の実施形態に係る車両用フード構造が適用されたフード及び対比構造に係るフードに欧州法規の子供条件で頭部インパクタを衝突させた場合の合成Ｇと時間との関係を示すグラフである。
【図８】本発明の第１の実施形態に係る車両用フード構造が適用されたフード及び対比構造に係るフードに欧州法規の子供条件で頭部インパクタを衝突させた場合の前後Ｇとストロークとの関係を示すグラフである。
【図９】対比構造に係るフードにおける二次衝突前の荷重と時間との関係を示す積み上げグラフである。
【図１０】本発明の第１の実施形態に係る車両用フード構造が適用されたフードにおける二次衝突前の荷重と時間との関係を示す積み上げグラフである。
【図１１】本発明の第２の実施形態に係る車両用フード構造が適用されたフードを示す平面図である（フードアウタパネル等を透視した状態で示す。）。
【発明を実施するための最良の形態】
【００１３】
［第１実施形態］
本発明の第１の実施形態に係る車両用フード構造について図１〜図１０を用いて説明する。なお、これらの図において適宜示される矢印ＦＲは車両前方側を示しており、矢印ＵＰは車両上方側を示しており、矢印Ｗは車両幅方向を示している。また、フード閉止状態においては、フード前後方向は車両前後方向と同じ方向とし、フード上下方向は車両上下方向と同じ方向とし、フード幅方向は車両幅方向と同じ方向とする。【００１４】
図１には、本実施形態に係る車両用フード構造が適用されたフード１４がフードアウタパネル１６（二点鎖線参照）等を透視した状態の平面図にて示されており、図２には、図１の２−２線に沿って切断した状態の拡大断面図が示されている。【００１５】
図２に示されるように、自動車（車両）における車両前部１０Ａには、エンジンルーム１２を開閉可能に覆うフード（エンジンフード）１４が配設されている。フード１４に覆われるエンジンルーム１２の内部には、パワーユニット等の剛体物１２Ａが配設されている。【００１６】
フード１４は、金属製（本実施形態では一例としてアルミニウム合金製）とされており、図１に示されるように、フード前後方向の寸法よりもフード幅方向の寸法のほうが長く設定されている。フード１４のフード前後方向における後端部の両サイドには、ヒンジ（図示省略）が配設されており、これによって、フード１４は、ヒンジ（図示省略）におけるフード幅方向の軸回りに回転移動可能、すなわち開閉可能となっている。【００１７】
図２に示されるように、フード１４は、フード１４の外板を構成すると共に略車両前後方向に沿って延在されるフードアウタパネル１６と、このフードアウタパネル１６に対してフード下方側に配置されると共にフードアウタパネル１６に結合されてフード１４の内板を構成するフードインナパネル１８と、を含んで構成されている。また、フード１４のフード前後方向における前端部の中央領域には、デントリインフォース３２が配置されており、このデントリインフォース３２のフード下方側には、ストライカリインフォース３６が配置されている。【００１８】
ストライカリインフォース３６は、フードアウタパネル１６とフードインナパネル１８との間に配置されてフードストライカ３８周りの剛性を確保するための金属製で屈曲板状の補強部材である。なお、フードストライカ３８は、フード１４の閉止位置で車体側のラッチ４０が係止されるようになっており、フードストライカ３８にラッチ４０が係止されることでフード１４は閉止位置に保持されるようになっている。ストライカリインフォース３６のフード前後方向における中間部は、フードインナパネル１８に接合され、ストライカリインフォース３６のフード前後方向における端部は、デントリインフォース３２のフード前後方向における端部側の裏面に接合されている。【００１９】
デントリインフォース３２は、金属製で板状とされてフードアウタパネル１６とフードインナパネル１８との間においてフードアウタパネル１６側に配置され、フード１４を閉止する際のフードアウタパネル１６の変形を抑制するための補強部材とされている。デントリインフォース３２は、フードアウタパネル１６にほぼ沿って延在すると共にマスチック３４によってフードアウタパネル１６の裏面に接合（固定）されている。【００２０】
フードアウタパネル１６及びフードインナパネル１８は、いずれもアルミニウム合金板（本実施形態では、一例としてＪＩＳ規格による６０００系のアルミニウム合金板）をプレス成形することにより形成されている。フードアウタパネル１６の板厚及びフードインナパネル１８の板厚は、軽量化や歩行者保護性能等の複数の観点から設定されている。フードアウタパネル１６の外周部は、フードインナパネル１８にヘミング加工によって結合されている。フードアウタパネル１６とフードインナパネル１８とが組付けられた状態（パネル構造体の状態）では、両者は閉断面構造（本実施形態では、所謂「最中構造」）を形成しており、両者の間にはフード上下方向の隙間（空間）が形成されている。【００２１】
図１に示されるように、フードインナパネル１８における外周縁部は、前端縁部１８Ａ、後端縁部１８Ｂ、及び左右のフード幅方向両端部１８Ｃ、１８Ｄで構成されており、前端縁部１８Ａ、後端縁部１８Ｂ、及び左右のフード幅方向両端部１８Ｃ、１８Ｄの内側が中央領域１８Ｅとなっている。【００２２】
また、フードインナパネル１８の中央領域１８Ｅには、複数の凸部としてのビード２２が形成されている。各ビード２２は、フード前後方向を長手方向とすると共に、長手方向との直交面に沿う断面視で、中央領域１８Ｅにおけるパネル（フードインナパネル１８）がフードアウタパネル１６側に隆起して凸形状に形成され、頂部２２Ａを備えている。これらの頂部２２Ａは平坦状に形成されている。頂部２２Ａの表面は、フードアウタパネル１６と略平行に配置されている。ビード２２における頂部２２Ａの一部は、フードアウタパネル１６の裏面に接着剤であるマスチック１７（図２参照）を介して接合されている。【００２３】
各ビード２２におけるフード前後方向の前端部２２Ｂは、フードインナパネル１８の前端縁部１８Ａの近傍に至っており、フード平面視で揃えられている。より具体的には、各ビード２２の前端部２２Ｂは、その端末形状（立ち上がり位置における形状）がフード平面視でフード幅方向に沿う直線状とされ、かつその端末位置（立ち上がり位置）がフード平面視でフード幅方向に沿う仮想直線上に設定されてフード前後方向の位置が揃えられている。また、各ビード２２におけるフード前後方向の後端部２２Ｃは、フードインナパネル１８の後端縁部１８Ｂの近傍に至っている。これらのビード２２は、フードインナパネル１８の中央領域１８Ｅにおいてフード前後方向の曲げ剛性を向上する骨格を構成している。【００２４】
複数のビード２２が並列したフードインナパネル１８の中央領域１８Ｅには、隣り合うビード２２間にフード前後方向を長手方向としてフードアウタパネル１６側に凹形状とされた凹部２４がそれぞれ形成されている。凹部２４の底部２４Ａ側は、凹部２４の長手方向との直交面に沿う断面視で湾曲した円弧状（曲線状）に形成されている。【００２５】
以上により、中央領域１８Ｅには、ビード２２（凸部）と凹部２４とがフード幅方向に沿って交互に設けられて断面視で波形形状（波型）とされた波状部２０がほぼ全域に形成されている。この波状部２０は、図２に示されるエンジンルーム１２の内部の剛体物１２Ａと対面している。【００２６】
なお、図１に示される波状部２０は、その波形形状の波長ｐが、一例として、７０ｍｍ≦ｐ≦１００ｍｍに設定される。ちなみに、波長ｐは、本実施形態のように、頂部２２Ａが平坦状に形成されている場合には、ある頂部２２Ａの幅方向中央位置（波長方向の中央位置）から隣の頂部２２Ａの幅方向中央位置（波長方向の中央位置）までの水平距離（フード幅方向の距離）である。また、波状部２０の波形形状の高さｈ（換言すればビード２２の高さ）は、波状部２０の剛性確保の観点等より、一例として、８．５ｍｍ≦ｈ≦１０．５ｍｍに設定される。【００２７】
フードインナパネル１８の中央領域１８Ｅにおけるフード前後方向の前端部には、前壁部２８が略フード幅方向に沿って直線状に形成されている。前壁部２８は、波状部２０よりもフード前方側に設けられ、図２に示されるように、フード前方へ向けてフード下方側に傾斜している。また、本実施形態では、前壁部２８は、ストライカリインフォース３６とデントリインフォース３２との後端側接合部３７よりもフード後方側に配置されている。【００２８】
また、図１に示されるように、フードインナパネル１８には、波状部２０と前壁部２８とを繋ぐ棚部２６が略フード幅方向に沿って直線状に形成されている。棚部２６は平坦状に形成され、ビード２２の頂部２２Ａとの間にフード上下方向の段差を形成している。また、棚部２６と前壁部２８との接続部位である稜線３０は、フード平面視でフード幅方向に沿って直線状に形成されている。【００２９】
次に、上記実施形態の作用及び効果について説明する。【００３０】
図１に示されるように、フードインナパネル１８の中央領域１８Ｅに形成された波状部２０は、それぞれフード前後方向を長手方向としたビード２２（凸部）と凹部２４とが交互に設けられて波形形状に形成されているので、衝突荷重に対する剛性が比較的高い。【００３１】
ここで、波状部２０のビード２２における前端部２２Ｂがフード平面視で揃えられ、波状部２０よりもフード前方側に設けられた前壁部２８がフード前方へ向けてフード下方側に傾斜して略フード幅方向に沿って形成されており、波状部２０と前壁部２８とは、略フード幅方向に沿って形成された棚部２６によって繋がれている。このため、図３に示されるように、歩行者頭部を模擬した衝突体としての頭部インパクタＣがフード１４に衝突して波状部２０に衝突荷重ｆが入力された場合、波状部２０よりも剛性が低い棚部２６でフード下方側へ曲げ変形が生じ、これに伴って前壁部２８がフード前方斜め上方側に膨らむように変形する。なお、図３では、前壁部２８の変形前の状態が二点鎖線で示されている。【００３２】
これに対して、フードアウタパネル１６は衝突荷重ｆによってフード下方側へ変位するので、図４に示されるように、フードアウタパネル１６は、前壁部２８の後端部側に当り、その後、前壁部２８との当接位置を徐々にフード前方側へ変えていく。これによって、前壁部２８はその後端部側で曲げ変形してから塑性変形部位Ｓが順次連続的にフード前方側へ移動していくような変形（すなわち、曲げ変形が前壁部２８で連続的に発生するしごき変形）をする。つまり、棚部２６が曲げ変形することで前壁部２８のしごき変形が誘発される。【００３３】
図４を参照しながら、前壁部２８のしごき変形をより具体的に説明すると、フードアウタパネル１６が前壁部２８に当接すると、塑性変形部位Ｓは、二点鎖線で示される変形開始時の位置ｂ１から、実線で示される変形途中の位置ｂ２を経て、さらに一点鎖線で示される位置ｂ３へ順次連続的に移動していく。このような塑性変形部位Ｓの連続的な移動は、フードインナパネル１８がその下方側の剛体物１２Ａに衝突（二次衝突）するまで続く。この前壁部２８のしごき変形によって、二次衝突前におけるフードインナパネル１８による反力（変形荷重）が持続的に発生する。このとき、前壁部２８の塑性変形に要するエネルギーが吸収されるので、二次衝突前の衝撃吸収性能が向上する。【００３４】
なお、前壁部２８の変形時には、前壁部２８に大きな塑性歪みが生じると共に、フードアウタパネル１６の曲げ変形部分１６Ａ（ストライカリインフォース３６とデントリインフォース３２との後端側接合部３７のフード上方側の部位）に大きな塑性歪みが生じる。【００３５】
一方、図１に示されるように、本実施形態に係る車両用フード構造では、棚部２６と前壁部２８との接続部位である稜線３０がフード平面視でフード幅方向に沿って直線状に形成されているので、図４に示される塑性変形部位Ｓがフード幅方向に沿った直線状の折り曲げ部となってフード前方側へ安定的に移動していく。すなわち、前壁部２８が安定した変形モードで変形するので、二次衝突前の衝撃吸収性能の精度が高められる。【００３６】
以上について、対比構造と比較しながら、補足説明すると、例えば、波状部（２０）と前壁部（２８）との間に棚部（２６）が存在せずかつ波状部（２０）の前端がフード平面視でうねっている対比構造では、上記の作用及び効果が得られない。すなわち、このような対比構造では、頭部インパクタ（Ｃ）がフード（１４）に衝突して波状部（２０）に衝突荷重（ｆ）が入力された場合、波状部（２０）と前壁部（２８）との間が殆ど曲げ変形（折れ変形）しないため、前壁部（２８）は、殆ど変形せずにフード下方側に変位することになる。このため、フードインナパネル（１８）による変形荷重がさほど得られない。これに対して、本実施形態では、前述の通り、前壁部２８が順次変形していくため、フードインナパネル１８による変形荷重が大きくなる。【００３７】
ここで、頭部インパクタ（Ｃ）の衝突時におけるフード（１４）の慣性荷重及び変形荷重について図９及び図１０を参照しながらさらに補足説明する。図９及び図１０には、頭部インパクタ（Ｃ）を日本国の自動車アセスメント（ＪＮＣＡＰ）における試験の条件でフード（１４）に衝突させた場合における二次衝突前の荷重Ｆ（Ｎ）と時間ｔ（ｍｓ）との関係の特性が積み上げグラフにて示されている。図９は、前記対比構造に係るフードの特性を示し、図１０は、本実施形態と同様の構造でビード（２２）の高さを８．５ｍｍとしたフードの特性を示している。また、図９及び図１０において、Ｐ１はフードインナパネルの変形荷重、Ｐ２はフードインナパネルの慣性荷重、Ｐ３はフードアウタパネルの変形荷重、Ｐ４はフードアウタパネルの慣性荷重をそれぞれ示しており、Ｐ５はそれ以外の部位での荷重（変形荷重及び慣性荷重）を示している。【００３８】
図９及び図１０に示されるように、対比構造に係るフード（図９参照）は、本実施形態に係るフード（図１０参照）に比べて、フードインナパネルの慣性荷重Ｐ２による荷重比率が大きく、フードアウタパネルの慣性荷重Ｐ４による荷重比率が大きいことが分かる。また、本実施形態に係るフード（図１０参照）は、対比構造に係るフード（図９参照）に比べて、フードインナパネルの変形荷重Ｐ１による荷重比率が大きいことが分かる。換言すれば、本実施形態に係るフード（図１０参照）では、二次衝突前に頭部インパクタ（Ｃ）に作用する荷重は、変形荷重が支配的になるので、対比構造に係るフード（図９参照）に比べてフードの重量によって荷重左右されにくい。【００３９】
次に、図５〜図８のグラフを参照しながら、本実施形態に係る車両用フード構造が適用されたフードの衝撃吸収特性を対比構造に係るフードの衝撃吸収特性と比較しつつ説明する。【００４０】
図５及び図６は、日本国の自動車アセスメント（ＪＮＣＡＰ）における試験の子供条件で頭部インパクタをフードに衝突させた場合の特性を示している。図５は、３軸合成加速度Ｇ（合成Ｇ（ｍ／Ｓ２））と時間ｔ（ｍｓ）との関係を示すグラフであり、図６は、頭部インパクタ打撃方向の加速度Ｇ（前後Ｇ（ｍ／Ｓ２））とストロークＳ（ｍｍ）との関係を示すグラフである。【００４１】
一方、図７及び図８は、欧州法規の子供条件で頭部インパクタを衝突させた場合の特性を示している。図７は、３軸合成加速度Ｇ（合成Ｇ（ｍ／Ｓ２））と時間ｔ（ｍｓ）との関係を示すグラフであり、図８は、頭部インパクタ打撃方向の加速度Ｇ（前後Ｇ（ｍ／Ｓ２））とストロークＳ（ｍｍ）との関係を示すグラフである。【００４２】
なお、フードの打撃位置は、図１に二点鎖線の頭部インパクタＣで示されるように、フード平面視で波状部（２０）の中央部とされている。また、頭部インパクタ打撃方向の加速度の値は、実質的には３軸合成加速度の値とほぼ同様の値となる。【００４３】
また、図５〜図８において、実線は、本実施形態に係る車両用フード構造と同様の構造でビード（２２）の高さが１０．５ｍｍのフードの特性を示し、二点鎖線は、本実施形態に係る車両用フード構造と同様の構造でビード（２２）の高さが８．５ｍｍのフードの特性を示し、点線は、図９の対象となった前記対比構造に係るフードの特性を示している。さらに、図５及び図７において、一点鎖線Ｚで囲まれた領域は、二次衝突時及びその直前直後を示している。【００４４】
図５及び図７に示されるように、本実施形態に係る車両用フード構造（実線及び二点鎖線参照）では、対比構造（点線参照）に比べて、二次衝突前の加速度の落ち込みが若干抑えられている。また、図５〜図８に示されるように、本実施形態に係る車両用フード構造（実線及び二点鎖線参照）では、対比構造（点線参照）に比べて、加速度がより平均化されていることが分かる。すなわち、本実施形態に係る車両用フード構造（実線及び二点鎖線参照）では、二次衝突前の荷重がコントロールされて二次衝突前のエネルギー吸収量が増えている。【００４５】
また、さらに別の対比構造と比較しながら説明すると、例えば、フードインナパネルに形成されるビードの高さや幅を大きく設定することで二次衝突時に当該ビードを縦圧壊させやすくした他の対比構造では、二次衝突後の衝撃吸収性能は高められるものの、二次衝突前の衝撃吸収性能は依然としてフードパネルの重量によって大きく左右されてしまう。すなわち、そのような対比構造であっても、二次衝突前の荷重は慣性荷重が大きな比率を占めるので、二次衝突前の荷重（反力）のコントロールが難しい。これに対して、本実施形態に係る車両用フード構造では、二次衝突前の荷重のうちフードインナパネル１８（図２等参照）の変形荷重が占める比率を高められるので、二次衝突前の荷重（反力）のコントロールがしやすい。【００４６】
以上説明したように、本実施形態に係る車両用フード構造によれば、図２等に示される頭部インパクタＣ（衝突体）がフード１４に衝突する場合における二次衝突前の衝撃吸収性能を向上させることができる。【００４７】
［第２実施形態］
次に、本発明の第２の実施形態に係る車両用フード構造について、図１１を用いて説明する。図１１には、本発明の第２の実施形態に係る車両用フード構造が適用されたフード５０がフードアウタパネル１６（二点鎖線参照）等を透視した状態の平面図にて示されている。【００４８】
この図に示されるように、フード５０におけるフードインナパネル５２は、その中央領域１８Ｅの前端部の形状が第１の実施形態に係るフードインナパネル１８（図１等参照）とは若干異なる。他の構成は、第１の実施形態と実質的に同様の構成となっている。よって、第１の実施形態と実質的に同様の構成部については、同一符号を付して説明を省略する。【００４９】
各ビード２２におけるフード前後方向の前端部２２Ｄは、フードインナパネル５２の前端縁部１８Ａの近傍に至っており、フード平面視で揃えられている。より具体的には、各ビード２２の前端部２２Ｄは、その端末形状（立ち上がり位置における形状）がフード平面視で大径の円弧状とされ、かつその端末位置（立ち上がり位置）がフード平面視で略フード幅方向に沿う大径の（緩やかな）仮想円弧曲線上に設定されている。【００５０】
フードインナパネル５２の中央領域１８Ｅにおけるフード前後方向の前端部には、前壁部５６がフード平面視で略フード幅方向に沿って大径の円弧状に形成されている。前壁部５６は、波状部２０よりもフード前方側に設けられ、フード前方へ向けてフード下方側に傾斜している。【００５１】
また、フードインナパネル５２には、波状部２０と前壁部５６とを繋ぐ棚部５４がフード平面視で略フード幅方向に沿って大径の円弧状に形成されている。棚部５４は平坦状に形成され、ビード２２の頂部２２Ａとの間にフード上下方向の段差を形成している。また、棚部５４と前壁部５６との接続部位である稜線５８は、フード平面視で略フード幅方向に沿って大径の円弧曲線状に形成されている。【００５２】
本実施形態の構成によっても、前述した第１実施形態とほぼ同様の作用が得られ、頭部インパクタＣ（衝突体）がフード５０に衝突する場合における二次衝突前の衝撃吸収性能を向上させることができる。【００５３】
［実施形態の補足説明］
なお、上記実施形態における前壁部２８、５６の傾斜角度や稜線３０、５８の延在方向、棚部２６、５４の位置等を調整することで、衝突荷重ｆに対する前壁部２８、５６の剛性を調整することができ、この調整によって二次衝突前の荷重をコントロールすることが可能である。例えば、前壁部２８、５６の水平方向に対する傾斜角度を上記実施形態の場合よりも小さく設定すれば、頭部インパクタＣがフード１４、５０に衝突した場合における前壁部２８、５６の変形荷重を上記実施形態の場合よりも小さくすることができる。【００５４】
また、上記実施形態では、波状部２０は、ビード２２（凸部）の頂部２２Ａが平坦状に形成されると共に、凹部２４の底部２４Ａ側がフード幅方向に切断した断面視で湾曲した円弧状（曲線状）に形成されているが、波状部の凸部の頂部側はフード幅方向に切断した断面視で湾曲した円弧状（曲線状）に形成されてもよく、波状部の凹部の底部は平坦状に形成されてもよい。また、波状部の凹部の底部と棚部とが同一平面上に設定されてもよい。【００５５】
また、上記実施形態では、波状部２０は、複数のビード２２（凸部）におけるフード前後方向の前端部２２Ｂ、２２Ｄのすべてがフード平面視で揃えられており、このような構成が好ましいが、波状部は、例えば、複数のビード（凸部）におけるフード前後方向の前端部の大多数（好ましくはフード幅方向中央領域の前端部を含む大多数）がフード平面視で揃えられている波状部とすることも可能である。
【図１】
2012004881.tif 000003
【図２】
2012004881.tif 000004
【図３】
2012004881.tif 000005
【図４】
2012004881.tif 000006
【図５】
2012004881.tif 000007
【図６】
2012004881.tif 000008
【図７】
2012004881.tif 000009
【図８】
2012004881.tif 000010
【図９】
2012004881.tif 000011
【図１０】
2012004881.tif 000012
【図１１】
2012004881.tif 000013
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
フードの外板を構成するフードアウタパネルと、
前記フードアウタパネルに対してフード下方側に配置されると共に前記フードアウタパネルに結合され、フードの内板を構成するフードインナパネルと、
フード前端部の中央領域で前記フードアウタパネルと前記フードインナパネルとの間における前記フードアウタパネル側に配置され、前記フードアウタパネルに接合された補強用のデントリインフォースと、
を有し、前記フードインナパネルは、
前記フードインナパネルにおける中央領域に設けられ、フード前後方向を長手方向として前記フードアウタパネル側に凸形状とされた凸部と、フード前後方向を長手方向として前記フードアウタパネル側に凹形状とされた凹部と、が交互に設けられて波形形状に形成されかつ前記凸部におけるフード前後方向の前端部がフード平面視で揃えられた波状部と、
前記フードインナパネルにおいて前記波状部よりもフード前方側に設けられ、フード前方へ向けてフード下方側に傾斜すると共に略フード幅方向に沿って形成された前壁部と、
前記フードインナパネルにおいて前記波状部と前記前壁部とを繋いで略フード幅方向に沿ってかつその全域が平坦状に形成され、前記波状部よりも剛性が低く設定されかつ前記デントリインフォースに連結されない棚部と、
を備えている車両用フード構造。
【請求項２】
前記棚部と前記前壁部との接続部位である稜線がフード平面視でフード幅方向に沿って直線状に形成されている請求項１記載の車両用フード構造。
【手続補正３】
【補正対象書類名】明細書
【補正対象項目名】０００１
【補正方法】変更
【補正の内容】
【０００１】
技術分野
［０００１］
本発明は、自動車等の車両に適用される車両用フード構造に関する。
背景技術
［０００２］
車両用フード構造においては、フードアウタパネルにフードインナパネルが結合された構造が知られている。このような構造においてフードインナパネルには、歩行者保護の観点から、車体前後方向を長手方向として並列された複数のビードが波型に形成されている場合がある（例えば、特許文献１参照）。この構造では、衝突体がフードに衝突（以下、適宜、「一次衝突」という。）した場合、フードインナパネルがその下方側の剛体物に衝突（以下、適宜「二次衝突」という。）する前に衝突体に作用する荷重は、フードパネルの慣性荷重による割合が高い。
特許文献１：特開２００３−２０５８６６公報
発明の開示
発明が解決しようとする課題
［０００３］
しかしながら、そのような構造では、二次衝突前に衝突体に作用する荷重がフードパネルの重量によって大きく左右されることになるので、二次衝突前の衝撃吸収性能を向上させるという点で改善の余地がある。
［０００４］
本発明は、上記事実を考慮して、衝突体がフードに衝突する場合における二次衝突前の衝撃吸収性能を向上させることができる車両用フード構造を得ることが目的である。
課題を解決するための手段
［０００５］
本発明の第１の態様に係る車両用フード構造は、フードの外板を構成するフードアウタパネルと、前記フードアウタパネルに対してフード下方側に配置されると共に前記フードアウタパネルに結合され、フードの内板を構成するフードインナパネルと、フード前端部の中央領域で前記フードアウタパネルと前記フードインナパネルとの間における前記フードアウタパネル側に配置され、前記フードアウタパネルに接合された補強用のデントリインフォースと、を有し、前記フードインナパネルは、前記フード
【手続補正４】
【補正対象書類名】明細書
【補正対象項目名】０００２
【補正方法】変更
【補正の内容】
【０００２】
インナパネルにおける中央領域に設けられ、フード前後方向を長手方向として前記フードアウタパネル側に凸形状とされた凸部と、フード前後方向を長手方向として前記フードアウタパネル側に凹形状とされた凹部と、が交互に設けられて波形形状に形成されかつ前記凸部におけるフード前後方向の前端部がフード平面視で揃えられた波状部と、前記フードインナパネルにおいて前記波状部よりもフード前方側に設けられ、フード前方へ向けてフード下方側に傾斜すると共に略フード幅方向に沿って形成された前壁部と、前記フードインナパネルにおいて前記波状部と前記前壁部とを繋いで略フード幅方向に沿ってかつその全域が平坦状に形成され、前記波状部よりも剛性が低く設定されかつ前記デントリインフォースに連結されない棚部と、を備えている。
［０００６］
本発明の第１の態様に係る車両用フード構造によれば、フードアウタパネルに対してフード下方側に配置されたフードインナパネルがフードアウタパネルに結合され、フードインナパネルは、その中央領域に波状部が形成されている。この波状部は、それぞれフード前後方向を長手方向とした凸部と凹部とが交互に設けられて波形形状に形成されているので、衝突荷重に対する剛性が比較的高い。
［０００７］
ここで、波状部の凸部における前端部がフード平面視で揃えられ、波状部よりもフード前方側に設けられた前壁部がフード前方へ向けてフード下方側に傾斜して略フード幅方向に沿って形成されており、波状部と前壁部とは、略フード幅方向に沿ってかつその全域が平坦状に形成された棚部によって繋がれている。また、棚部は、波状部よりも剛性が低く設定され、フードドアウタパネルに接合された補強用のデントリインフォースに連結されていない。このため、衝突体がフードに衝突して波状部に荷重が入力された場合、波状部よりも剛性が低い棚部でフード下方側へ曲げ変形が生じ、これに伴って前壁部がフード前方斜め上方側に膨らむように変形する。これに対して、フードアウタパネルは衝突荷重によってフード下方側へ変位するので、フードアウタパネルは、前壁部の後端部側に（直接的又は間接的に）当り、その後、前壁部との当接位置を徐々にフード前方側へ変えていく。これによって、前壁部はその後端部側で曲げ変形してから塑性変形部位が順次連続的にフード前方側へ移動していくような変形（しごき変形）をする。このとき塑性変形に要するエネルギーが吸収されるので、二次衝突前の衝撃吸収性能が向上する。
【国際調査報告】
2012004881.tif 000014
2012004881.tif 000015
2012004881.tif 000016
2012004881.tif 000017